【誤訳訂正書】
【提出日】令和3年3月4日(2021.3.4)
【誤訳訂正１】
【訂正対象書類名】特許請求の範囲
【訂正対象項目名】全文
【訂正方法】変更
【訂正の内容】
【特許請求の範囲】
【請求項１】
表示パネルの駆動方法であって、
前記表示パネルは、マトリクス状に配列された複数の同一の画素素子を含み、各前記画素素子は、行方向に赤、緑及び青の三色のサブ画素を有し、
前記駆動方法は、
前記行方向に隣接する二つのサブ画素によって複数の論理画素群を構成し、各前記論理画素群は、行方向に沿って順次配列された第１論理画素、第２論理画素及び第３論理画素を含み、前記第２論理画素に隣接するサブ画素の色を所定の色とするステップと、
画像を表示するときの前記第１論理画素、第２論理画素及び第３論理画素における前記所定の色の色成分を取得するステップと、
前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較するステップと、
前記第１色成分差分値の絶対値が前記第２色成分差分値の絶対値以下である場合、前記第１論理画素における前記所定の色の色成分に基づいて第２論理画素が画像を表示するときの前記所定の色のサブ画素の発光強度を特定し、
前記第１色成分差分値の絶対値が前記第２色成分差分値の絶対値よりも大きい場合、前記第３論理画素における前記所定の色の色成分に基づいて第２論理画素が画像を表示するときの前記所定の色のサブ画素の発光強度を特定するステップと、を含み、
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における前記所定の色の色成分、ＰｍＣ２は前記第１論理画素又は前記第３論理画素における前記所定の色の色成分である表示パネルの駆動方法。
【請求項２】
Ｎ＝１／２である、請求項１に記載の駆動方法。
【請求項３】
表示パネルの駆動方法であって、
前記表示パネルは、マトリクス状に配列された複数の同一の画素素子を含み、各前記画素素子は、所定方向に複数の異なる色のサブ画素を有し、
前記駆動方法は、
前記行方向に隣接する二つのサブ画素によって複数の論理画素群を構成し、各前記論理画素群は、行方向に沿って順次配列された第１論理画素、第２論理画素及び第３論理画素を含み、前記第２論理画素に隣接するサブ画素の色を所定の色とするステップと、
画像を表示するときの前記第１論理画素、第２論理画素及び第３論理画素における所定の色の色成分を取得するステップと、
前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較するステップと、
前記第１色成分差分値の絶対値が前記第２色成分差分値の絶対値以下である場合、前記第１論理画素における前記所定の色の色成分に基づいて前記第２論理画素が画像を表示するときの前記所定の色のサブ画素の発光強度を特定し、
前記第１色成分差分値の絶対値が前記第２色成分差分値の絶対値よりも大きい場合、前記第３論理画素における前記所定の色の色成分に基づいて前記第２論理画素が画像を表示するときの前記所定の色のサブ画素の発光強度を特定するステップと、を含む、
表示パネルの駆動方法。
【請求項４】
前記所定方向は、行方向を含む、請求項３に記載の駆動方法。
【請求項５】
各前記画素素子は、異なる色の三種類のサブ画素を含み、
異なる色は、赤、緑及び青である、請求項３に記載の駆動方法。
【請求項６】
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における所定の色の色成分、ＰｍＣ２は前記第１論理画素又は前記第３論理画素における所定の色の色成分である、請求項３に記載の駆動方法。
【請求項７】
Ｎ＝１／２である、請求項６に記載の駆動方法。
【請求項８】
表示パネルの駆動装置であって、
前記表示パネルは、マトリクス状に配列された複数の同一の画素素子を含み、各前記画素素子は、所定方向に異なる色の複数のサブ画素を有し、
前記駆動装置は、
前記所定方向に隣接する二つのサブ画素によって複数の論理画素群を構成するプロセッサを含み、
各前記論理画素群は、所定方向に沿って順次配列された第１論理画素、第２論理画素及び第３論理画素を含み、前記第２論理画素に隣接するサブ画素の色を所定の色とし、
前記プロセッサは、
画像を表示するときの前記第１論理画素、第２論理画素及び第３論理画素における前記所定の色の色成分を取得し、
前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較し、
前記第１色成分差分値の絶対値が前記第２色成分差分値の絶対値以下である場合、前記第１論理画素における前記所定の色の色成分に基づいて前記第２論理画素が画像を表示するときの前記所定の色のサブ画素の発光強度を特定し、
前記第１色成分差分値の絶対値が前記第２色成分差分値の絶対値よりも大きい場合、前記第３論理画素における前記所定の色の色成分に基づいて前記第２論理画素が画像を表示するときの前記所定の色のサブ画素の発光強度を特定し、
前記駆動装置は、前記第２論理画素が表示されるとき、前記プロセッサによって特定された発光強度の光が発生するように前記所定の色のサブ画素を駆動するアクチュエータを含む、表示パネルの駆動装置。
【請求項９】
前記所定方向は、行方向を含む、請求項８に記載の駆動装置。
【請求項１０】
各前記画素素子は、異なる色の三種類のサブ画素を含み、
異なる色は、赤、緑及び青である、請求項８に記載の駆動装置。
【請求項１１】
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における所定の色の色成分、ＰｍＣ２は前記第１論理画素又は前記第３論理画素における所定の色の色成分である、請求項８に記載の駆動装置。
【請求項１２】
Ｎ＝１／２である、請求項１１に記載の駆動装置。
【誤訳訂正２】
【訂正対象書類名】明細書
【訂正対象項目名】０００４
【訂正方法】変更
【訂正の内容】
【０００４】
本発明の一実施例に係る表示パネルの駆動方法によれば、前記表示パネルは、マトリクス状に配列された複数の同一の画素素子を含み、各前記画素素子は、行方向に赤、緑及び青の三色のサブ画素を有し、前記駆動方法は、前記行方向に隣接する二つのサブ画素によって複数の論理画素群を構成し、各前記論理画素群は、行方向に沿って順次配列された第１論理画素、第２論理画素及び第３論理画素を含み、前記第２論理画素に隣接するサブ画素の色を所定の色とするステップと、画像を表示するときの前記第１論理画素、第２論理画素及び第３論理画素における前記所定の色の色成分を取得するステップと、前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較するステップと、前記第１色成分差分値の絶対値が前記第２色成分差分値の絶対値以下である場合、前記第１論理画素における前記所定の色の色成分に基づいて第２論理画素が画像を表示するときの前記所定の色のサブ画素の発光強度を特定し、前記第１色成分差分値の絶対値が前記第２色成分差分値の絶対値よりも大きい場合、前記第３論理画素における前記所定の色の色成分に基づいて第２論理画素が画像を表示するときの前記所定の色のサブ画素の発光強度を特定するステップと、を含み、前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における前記所定の色の色成分、ＰｍＣ２は前記第１論理画素又は前記第３論理画素における前記所定の色の色成分である。
【誤訳訂正３】
【訂正対象書類名】明細書
【訂正対象項目名】０００５
【訂正方法】変更
【訂正の内容】
【０００５】
本発明の一実施例に係る表示パネルの駆動方法によれば、前記表示パネルは、マトリクス状に配列された複数の同一の画素素子を含み、各前記画素素子は、所定方向に複数の異なる色のサブ画素を有し、前記駆動方法は、前記行方向に隣接する二つのサブ画素によって複数の論理画素群を構成し、各前記論理画素群は、行方向に沿って順次配列された第１論理画素、第２論理画素及び第３論理画素を含み、前記第２論理画素に隣接するサブ画素の色を所定の色とするステップと、画像を表示するときの前記第１論理画素、第２論理画素及び第３論理画素における所定の色の色成分を取得するステップと、前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較するステップと、前記第１色成分差分値の絶対値が前記第２色成分差分値の絶対値以下である場合、前記第１論理画素における前記所定の色の色成分に基づいて前記第２論理画素が画像を表示するとき、前記所定の色のサブ画素の発光強度を特定し、前記第１色成分差分値の絶対値が前記第２色成分差分値の絶対値よりも大きい場合、前記第３論理画素における前記所定の色の色成分に基づいて前記第２論理画素が画像を表示するとき、前記所定の色のサブ画素の発光強度を特定するステップと、を含む。
【誤訳訂正４】
【訂正対象書類名】明細書
【訂正対象項目名】０００６
【訂正方法】変更
【訂正の内容】
【０００６】
本発明の一実施例に係る表示パネルの駆動装置によれば、前記表示パネルは、マトリクス状に配列された複数の同一の画素素子を含み、各前記画素素子は、所定方向に異なる色の複数のサブ画素を有し、前記駆動装置は、前記所定方向に隣接する二つのサブ画素によって複数の論理画素群を構成するプロセッサを含み、各前記論理画素群は、所定方向に沿って順次配列された第１論理画素、第２論理画素及び第３論理画素を含み、前記第２論理画素に隣接するサブ画素の色を所定の色とし、前記プロセッサは、画像を表示するときの前記第１論理画素、第２論理画素及び第３論理画素における前記所定の色の色成分を取得し、前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較し、前記第１色成分差分値の絶対値が前記第２色成分差分値の絶対値以下である場合、前記第１論理画素における前記所定の色の色成分に基づいて前記第２論理画素が画像を表示するときの前記所定の色のサブ画素の発光強度を特定し、前記第１色成分差分値の絶対値が前記第２色成分差分値の絶対値よりも大きい場合、前記第３論理画素における前記所定の色の色成分に基づいて前記第２論理画素が画像を表示するときの前記所定の色のサブ画素の発光強度を特定し、前記駆動装置は、前記第２論理画素が表示されるとき、前記プロセッサによって特定された発光強度の光が発生するように前記所定の色のサブ画素を駆動するアクチュエータを含む。
【誤訳訂正５】
【訂正対象書類名】明細書
【訂正対象項目名】００２１
【訂正方法】変更
【訂正の内容】
【００２１】
Ｓ２４：第１色成分差分値の絶対値が第２色成分差分値の絶対値以下である場合、第１論理画素における所定の色の色成分に基づいて第２論理画素が画像を表示するときの所定の色のサブ画素の発光強度を特定する。
【誤訳訂正６】
【訂正対象書類名】明細書
【訂正対象項目名】００２２
【訂正方法】変更
【訂正の内容】
【００２２】
表示パネルに第１画像エッジ領域を表示させるとき、第１色成分差分値の絶対値は、第
２色成分差分値の絶対値よりも小さいので、すなわち、
│Ｐ２Ｃ２−Ｐ１Ｃ２│＜│Ｐ３Ｃ２−Ｐ２Ｃ２│
本実施例では、第１論理画素Ｌ１における赤の色成分に基づいて第２論理画素Ｌ２が画像を表示するときの赤サブ画素Ｒの発光強度、すなわち、第２論理画素Ｌ２が第１画像エッジ領域を表示するときの赤サブ画素Ｒの発光強度を特定する。
【誤訳訂正７】
【訂正対象書類名】明細書
【訂正対象項目名】００２５
【訂正方法】変更
【訂正の内容】
【００２５】
Ｓ２５：第１色成分差分値の絶対値が第２色成分差分値の絶対値よりも大きい場合、第３論理画素における所定の色の色成分に基づいて第２論理画素が画像を表示するときの所定の色のサブ画素の発光強度を特定する。
【誤訳訂正８】
【訂正対象書類名】明細書
【訂正対象項目名】００２６
【訂正方法】変更
【訂正の内容】
【００２６】
表示パネルに第２画像エッジ領域を表示させるとき、第１色成分差分値の絶対値は、第２色成分差分値の絶対値よりも大きいので、すなわち、
│Ｐ２Ｃ２−Ｐ１Ｃ２│＞│Ｐ３Ｃ２−Ｐ２Ｃ２│
本実施例では、第３論理画素Ｌ３における赤の色成分に基づいて第２論理画素Ｌ２が画像を表示するときの赤サブ画素Ｒの発光強度を特定する。
【誤訳訂正９】
【訂正対象書類名】明細書
【訂正対象項目名】００３６
【訂正方法】変更
【訂正の内容】
【００３６】
また、プロセッサ１１１は、第１色成分差分値の絶対値が第２色成分差分値の絶対値以下である場合、第１論理画素における所定の色の色成分に基づいて第２論理画素が画像を表示するときの所定の色のサブ画素の発光強度を特定する。
【誤訳訂正１０】
【訂正対象書類名】明細書
【訂正対象項目名】００３７
【訂正方法】変更
【訂正の内容】
【００３７】
また、プロセッサ１１１は、第１色成分差分値の絶対値が第２色成分差分値の絶対値よりも大きい場合、第３論理画素における所定の色の色成分に基づいて第２論理画素が画像を表示するときの所定の色のサブ画素の発光強度を特定する。
【誤訳訂正１１】
【訂正対象書類名】図面
【訂正対象項目名】図２
【訂正方法】変更
【訂正の内容】
【図２】
2020518022.tif 000001